(57)【要約】【課題】車いすを使用している方の邪魔になることがなく、また、見映えを悪化させることのない電気温水器の設置方法を提供する。【解決手段】電気温水器１は、その天面が洗面カウンター２の裏面に止着されて設置されるとともに、電気温水器１から延出する膨張水排水管９は、洗面ボウル３のオーバーフロー経路１２に接続される。これにより、洗面カウンター２の下部に十分なスペースを確保することができるので、車いすを使用している方の脚が電気温水器１や膨張水排水管９に接触することがなくなり、洗面カウンター２へのアプローチが十分できるようになる。また、電気温水器１や給水管１５、出湯管１０、１１、膨張水排水管９などは、通常見えにくい位置に配置されるので、見映えの悪化も防ぐことができる。【選択図】　図１
2004011940.tif 000002
【特許請求の範囲】
【請求項１】
立壁に取り付けられた略水平な洗面カウンターと該洗面カウンターに固定された洗面ボウルとを有した洗面所に、電気温水器を設置する方法であって、前記電気温水器の天面が、前記洗面カウンターの裏面に止着されることを特徴とする電気温水器の設置方法。
【請求項２】
前記電気温水器から延出する膨張水排水管を、前記洗面ボウルのオーバーフロー経路に接続したことを特徴とする請求項１に記載の電気温水器の設置方法。
【発明の詳細な説明】
【０００１】
【発明の属する技術分野】
本発明は、洗面カウンターの給湯栓に温水を供給する電気温水器の設置方法に関するものである。
【０００２】
【従来の技術】
従来、オフィスビル、デパート、病院等の洗面所やトイレに設置される洗面カウンターには、電気温水器が設置されて洗面ボウルの給湯栓に温水を速やかに供給できるようになっているものがある。また洗面カウンターの下には、給水管や排水管等を隠すためのキャビネットが設けられていることが多く、この場合、電気温水器はこのキャビネットの内部に設置される。
【０００３】
図３に、上記した従来の電気温水器の設置例を示す。洗面所の立壁に取り付けられた略水平な洗面カウンター２には、２つの洗面ボウル３、４が固定されている。洗面ボウル３、４の下部にはそれぞれ排水管７、８が接続されており、洗面ボウル３、４の上部にはそれぞれ給湯栓５、６が備えられている。そして、洗面カウンター２の下部には、電気ヒーターを具備した貯湯タンク（図示せず）を備えた電気温水器１４が、床面に設置されている。この電気温水器１４からは、給水管（図示せず）と、出湯管１０、１１と、貯湯タンク内の水を加熱する際に発生する膨張水を逃がすための膨張水排水管９が延出している。出湯管１０、１１はそれぞれ給湯栓６、５に接続されて給湯栓６、５に温水を供給し、膨張水排水管９は排水管７に接続されて膨張水を排出する。ここでは図示していないが、膨張水排水管９の中途には、排水管７からの汚水逆流防止のためのトラップ構造を備えている。また、洗面カウンター２の下には、配管類や電気温水器１４などを隠すようにキャビネット１３が設けられている。
【０００４】
【発明が解決しようとする課題】
近年、車いすを使用している方が洗面行為を行ない易いようにという意識の高まりや、省施工・低コストの観点から、洗面カウンターの下にキャビネットを設置しないケースもある。この場合、洗面カウンターの下に電気温水器がなければ、車いすを使用している方が洗面行為を容易に行なえるのであるが、電気温水器を設置すると、車いすを使用している方の脚が電気温水器本体や膨張水排水管に接触し、洗面カウンターへのアプローチが不十分となって洗面行為がしづらい場合があった。また、電気温水器本体やその配管がむきだしのため、見た目も悪くなる。
【０００５】
本発明は、上記課題を解決するためになされたもので、本発明の目的は、車いすを使用している方の邪魔になることがなく、また、見映えを悪化させることのない電気温水器の設置方法を提供することにある。
【０００６】
【課題を解決するための手段およびその作用・効果】
上記目的を達成するために請求項１は、立壁に取り付けられた略水平な洗面カウンターと該洗面カウンターに固定された洗面ボウルとを有した洗面所に、電気温水器を設置する方法であって、前記電気温水器の天面が、前記洗面カウンターの裏面に止着されることとした。よって、洗面カウンター下部に十分なスペースを確保することができるので、車いすを使用している方の脚が電気温水器に接触することがなくなり、洗面カウンターへのアプローチが十分できるようになる。また、電気温水器の設置による見映えの悪化も防ぐことができる。
【０００７】
請求項２では、請求項１に記載の電気温水器の設置方法であって、前記電気温水器から延出する膨張水排水管を、前記洗面ボウルのオーバーフロー経路に接続した。よって、膨張水排水管が車いすを使用している方の邪魔になることもなく、見映えも悪化しない。
【０００８】
【発明の実施の形態】
以下、本発明の実施の形態を、図面により詳細に説明する。
【０００９】
図１は、本発明の一実施例である電気温水器１の設置方法を示す図である。洗面所の立壁に取り付けられた略水平な洗面カウンター２には、２つの洗面ボウル３、４が固定されている。洗面ボウル３、４の下部にはそれぞれ排水管７、８が接続されており、洗面ボウル３、４の上部にはそれぞれ給湯栓５、６が備えられている。そして電気温水器１は、その天面が洗面カウンター２の裏面に止着されて設置される。止着方法は特に限定されないが、図示しない電気温水器固定金具を介してビス（図示せず）などにより洗面カウンター２の裏面に固定するなどすればよい。
【００１０】
電気温水器１は、図示しないが貯湯タンク内の水を加熱する電気ヒーターや、貯湯タンク内の水温により電気ヒーターを入／切するための自動温度調節器などを備えている。また、この電気温水器１からは、給水管１５、出湯管１０、１１、および貯湯タンク内の水を加熱する際に発生する膨張水を逃がすための膨張水排水管９が延出している。出湯管１０、１１はそれぞれ給湯栓６、５に接続されて給湯栓６、５に温水を供給する。また膨張水排水管９は、図１の右側面図である図２に示すように、洗面ボウル３のオーバーフロー経路１２に接続されて膨張水を排出する。
【００１１】
上記のような構成にしたことにより、洗面カウンター２の下部に十分なスペースを確保することができるので、車いすを使用している方の脚が電気温水器１や膨張水排水管９に接触することがなくなり、洗面カウンター２へのアプローチが十分できるようになる。また、電気温水器１や給水管１５、出湯管１０、１１、膨張水排水管９などは、通常見えにくい位置に配置されるので、見映えの悪化も防ぐことができる。
【００１２】
なお本実施例において電気温水器１は、洗面ボウル３と４の間の洗面カウンター２の裏面に固定するようにしたが、これに限らず、洗面ボウル３の右側や洗面ボウル４の左側に配置させてもよい。また本実施例では、図２に示すように電気温水器１の奥側の面を立壁に接して配置させている。これにより、手前側の空間の確保を図っているのであるが、電気温水器１の形態などによりこのような配置ができない場合は、立壁との間に隙間を設けて配置してもよい。
【図面の簡単な説明】
【図１】本発明の一実施例である電気温水器１の設置方法を示す図
【図２】図１の右側面図
【図３】従来の電気温水器の設置例を示す図
【符号の説明】
１…電気温水器
２…洗面カウンター
３、４…洗面ボウル
５、６…給湯栓
７、８…排水管
９…膨張水排水管
１０、１１…出湯管
１２…オーバーフロー経路
１３…キャビネット
１４…電気温水器
１５…給水管
【図１】
2004011940.tif 000003
【図２】
2004011940.tif 000004
【図３】
2004011940.tif 000005